(57)【要約】【課題】本発明は自動車用表示装置に関し、例えば自動車のラジエターグリル、フロントスポイラーガーニッシュ、バックドアガーニッシュ等に使用され、明るい場所では金属光沢を放った外観を呈し、暗い場所では背面側からの間接照明により文字、図形等の表示体を全体的に浮かび上がらせて表示する。【解決手段】透明な合成樹脂製のフロントパネル１に金属微粒子を蒸着、または、スパッタリングし、少なくとも背面には、合成樹脂フィルムにて形成され、文字、図形等の表示体３を透視可能に表示し、その他の部分を不透明部３ａ乃至は半透明部となした表示シート２を接着し、光源４からの発光により表示シート２を背面から間接照明し、該表示シートに表示された表示体３を浮かび上がらせるように表示する。【選択図】図１
2008105556.tif 000002
【特許請求の範囲】
【請求項１】
透明な合成樹脂製のフロントパネルに、金属微粒子を蒸着、または、スパッタリングし、
該フロントパネルの少なくとも背面には、合成樹脂フィルムにて形成され、文字、図形等の表示体を透視可能に表示するとともに、その他の部分を不透明部乃至は半透明部となした表示シートを接着し、
該表示シートの背面側近傍に光源を設け、
該光源からの発光により前記表示シートを背面から間接照明することにより、該表示シートに表示された前記表示体を浮かび上がらせるように表示することを特徴とした自動車用表示装置。
【請求項２】
前記間接照明が、前記光源を外装容器の上面または下面に設け、該光源からの発光を、前記外装容器の内部背面に設けた断面凹面状の反射面部にて反射させるようにして得られることを特徴とした請求項１記載の自動車用表示装置。
【請求項３】
前記表示シートが、前記表示体を残してその他の前記不透明部乃至は前記半透明部を印刷して形成されることを特徴とした請求項１または請求項２に記載の自動車用表示装置。
【請求項４】
前記光源が、ランプまたはＬＥＤであることを特徴とする請求項１−３の何れかの請求項に記載の自動車用表示装置。
【請求項５】
前記自動車用表示装置が、ラジエターグリル、フロントスポイラーガーニッシュ、また、サイドスポイラーガーニッシュ、リアウィング、バックドアガーニッシュ、リアスポイラーガーニッシュの何れかであることを特徴とする請求項１−４の何れかの請求項に記載の自動車用表示装置。
【発明の詳細な説明】
【技術分野】
【０００１】
本発明は自動車用表示装置に関し、例えば自動車の前面に用いるラジエターグリル、フロントスポイラーガーニッシュ、また、側面に用いるサイドスポイラーガーニッシュ、さらには後面に用いるリアウィング、バックドアガーニッシュ、リアスポイラーガーニッシュ等に使用され、昼間等の明るい場所では透明な合成樹脂製のフロントパネルの裏面に蒸着した金属微粒子により金属光沢を放った外観を呈し、夜間等の暗い場所では背面側からの間接照明によって文字、図形等の表示体を全体的に浮かび上がらせて表示するようにしたものである。
【背景技術】
【０００２】
従来、例えば自動車の前面に用いるラジエターグリルは、金属または合成樹脂により形成され、表面には金属メッキ、または塗装を施すことにより製作されていた。
【０００３】
このような従来のラジエターグリルは、昼間等の明るい時は、金属または合成樹脂に金属メッキ、または塗装を施すことにより製作されるのに過ぎないので、冷たい金属メッキ等から発する金属感が先行して無味乾燥な機械感を発揮するとともに、夜間等の暗い場所で見ると、色調が低下し、黙視できない状態になり、デザイン的に変化がなく、満足できないものであった。
【０００４】
金属または合成樹脂に金属メッキ、または塗装を施した上記従来のラジエターグリルの欠点を解決するものとして、透明な合成樹脂製のラジエターグリル本体の内側に蒸着等の金属膜形成法により金属膜を形成したことによって昼間等の明るい場所では金属光沢を放ち、また、夜間等の暗い場所では、ラジエターグリルの左右端に光学部品としてのプリズムを設けたことによって光源からの光りを点灯によりプリズムにて導光させてラジエターグリル本体を発光するようにし、他車との差別化と優越感とを目指すようにしたものがあった（例えば特許文献１参照）。
【特許文献１】実用新案登録第３０２６８６８号公報
【発明の開示】
【発明が解決しようとする課題】
【０００５】
しかしながら、特許文献１に記載の上記従来の発光ラジエターグリルは、夜間等の暗い時に、ラジエターグリルの左右端に設けた光学部品としてのプリズムにて光源からの光を導光させてラジエターグリル本体を発光するものであるので、ラジエターグリル本体がただ単に発光させれるものであって、視認性のみを目指すものであり、例えば社名、車種、製作年度等の情報やメッセージを伝達する点の配慮がなされていないとともに、デザイン的な変化が乏しく、無味乾燥であり、満足のいくなものではなかった。
【０００６】
しかも、光源からの光をプリズムのような光学部品により導光させてラジエターグリル本体を背面から発光するものであるので、ラジエターグリル本体には光源からの光がプリズムにより導光されてスポット光となって照射される部分のみが、周囲よりも明るく発光されるため、発光に強弱のムラを生じ、不自然であった。
【０００７】
本発明は上記従来の欠点を解決し、夜間等の暗い場所において、遠方からの視認性を充分に発揮し、情報やメッセージの伝達が行えるとともに、デザイン的に変化があり、斬新性があり、また、発光にスポット光のような強弱のムラを生ぜず、全体的に均一にかつ軟らかい感じの発光がなされ、そして、浮かび上がって見え、さらには、部品点数も少なく、製作および組立が容易な自動車用表示装置を提供することを目的とする。
【課題を解決するための手段】
【０００８】
本発明の請求項１に記載の発明は、
透明な合成樹脂製のフロントパネルに、金属微粒子を蒸着、または、スパッタリングし、
該フロントパネルの少なくとも背面には、合成樹脂フィルムにて形成され、文字、図形等の表示体を透視可能に表示するとともに、その他の部分を不透明部乃至は半透明部となした表示シートを接着し、
該表示シートの背面側近傍に光源を設け、
該光源からの発光により前記表示シートを背面から間接照明することにより、該表示シートに表示された前記表示体を浮かび上がらせるように表示することを特徴とした。
【０００９】
また、本発明の請求項２に記載の発明は、請求項１において、前記間接照明が、前記光源を外装容器の上面または下面に設け、該光源からの発光を、前記外装容器の内部背面に設けた断面凹面状の反射面部にて反射させるようにして得られることを特徴とした。
【００１０】
また、本発明の請求項３に記載の発明は、請求項１または請求項２において、前記表示シートが、前記表示体を残してその他の前記不透明部乃至は前記半透明部を印刷して形成されることを特徴とした。
【００１１】
また、本発明の請求項４に記載の発明は、請求項１−３の何れかの請求項において、前記光源が、ランプまたはＬＥＤであることを特徴とする。
【００１２】
また、本発明の請求項５に記載の発明は、請求項１−４の何れかにおいて、前記自動車用表示装置が、ラジエターグリル、フロントスポイラーガーニッシュ、また、サイドスポイラーガーニッシュ、リアウィング、バックドアガーニッシュ、リアスポイラーガーニッシュの何れかであることを特徴とする。
【発明の効果】
【００１３】
本発明の請求項１に記載の発明によれば、透明な合成樹脂製のフロントパネルに、金属微粒子を蒸着、または、スパッタリングし、該フロントパネルの少なくとも背面には、合成樹脂フィルムにて形成され、文字、図形等の表示体を透視可能に表示するとともに、その他の部分を不透明部乃至は半透明部となした表示シートを接着し、該表示シートの背面側近傍に光源を設け、該光源からの発光により前記表示シートを背面から間接照明することにより、該表示シートに表示された前記表示体を浮かび上がらせるように表示することを特徴としたので、夜間等の暗い場所において、遠方からの視認性を充分に発揮し、例えば社名、車種、製作年度等の情報やメッセージの伝達が行えるとともに、デザイン的に変化があり、斬新性がある。また、光源からの発光は、前記表示シートを背面から間接照明するので、スポット光のような強弱のムラを生ぜず、全体的に均一にかつ軟らかく発光されて浮かび上がって見える。さらには、部品点数も少なく、製作および組立が容易になる。
【００１４】
また、本発明の請求項２に記載の発明によれば、前記間接照明が、前記光源を外装容器の上面または下面に設け、該光源からの発光を、前記外装容器の内部背面に設けた断面凹面状の反射面部にて反射させるようにして得られることを特徴としたので、特別に反射板、反射鏡、プリズムのような光学部品を用いなくても容易に光源からの間接照明光が得られる。
【００１５】
また、本発明の請求項３に記載の発明によれば、前記表示シートが、前記表示体を残してその他の前記不透明部乃至は前記半透明部を印刷して形成されることを特徴としたので、
夜間等の暗い場所において、表示シートに不透明部乃至は半透明部を印刷して残された透視可能な部分により形成される表示体により文字、図形等の表示内容が遠方からでも浮かび上がって見え、視認性が充分に発揮され、しかも、表示体の表示内容により例えば社名、車種、製作年度等の情報やメッセージの伝達が行えるとともに、デザイン的に変化があり、斬新性がある。しかも、表示シートには、印刷法により容易に不透明部乃至は半透明部を印刷することにより透視可能な部分により形成される表示体を形成できるので、多量の製作が容易に行える。また、表示シート自体、接着剤や粘着シートを用いればフロントパネルのへの接着が容易である。
【００１６】
また、本発明の請求項４に記載の発明によれば、前記光源が、ランプまたはＬＥＤであることを特徴とするので、調達し、外装容器への組み付けも容易である。
【００１７】
また、本発明の請求項５に記載の発明によれば、前記自動車用表示装置が、ラジエターグリル、フロントスポイラーガーニッシュ、また、サイドスポイラーガーニッシュ、リアウィング、バックドアガーニッシュ、リアスポイラーガーニッシュの何れかであることを特徴とするので、夜間等の暗い場所において、遠方からの視認性を充分に発揮し、情報やメッセージの伝達が行えるとともに、デザイン的に変化があり、斬新性がある。また、他車に対する優越性、差別化も容易である。
【発明を実施するための最良の形態】
【００１８】
以下、図面に従って本発明の実施の最良の形態により、本発明の詳細を説明する。
図１は本発明の図１は本発明の自動車用表示装置の実施形態１を示す拡大断面図、図２は同じく本発明の自動車用表示装置の実施形態１を示す分解斜視図、図３は同じく本発明の自動車用表示装置を自動車に適用した前方側を示した斜視図、図４は同じく本発明の自動車用表示装置を自動車の前方に適用して既設のラジエターグリルに取付けた一例を示す拡大正面図、図５は同じく本発明の自動車用表示装置に適用する回路図、図６は同じく本発明の自動車用表示装置を自動車に適用して後方側を示した斜視図である。
【００１９】
本実施形態１は、ラジエターグリルに適用した場合を示したものであり、透明な合成樹脂製のフロントパネル１に、金属微粒子を蒸着、または、スパッタリングし、該フロントパネル１の背面には、合成樹脂フィルムにて形成され、文字、図形等の表示体３を透視可能に表示するとともに、その他の部分を不透明部３ａ乃至は半透明部となした表示シート２を接着し、該表示シート２の背面側近傍に光源４を設け、該光源４からの発光により前記表示シート２を背面から間接照明することにより、該表示シート２に表示された前記表示体３を浮かび上がらせるように表示することを特徴とした。
【００２０】
前記フロントパネル１は、例えば透明なポリカーボネート樹脂、アクリル樹脂にて図１に示すように断面略コ字形に形成され、外装容器５の前部、および上部、下部に配置され、図４に示すように左右の側端部１ａ,１ａを既設のラジエターグリルＧの開口部６における内側面に嵌入し、着脱可能に取付けられる。そして、前記金属微粒子としては、例えばクロム、ニッケル、アルミニウムの何れかが用いられる。
【００２１】
５ａは前記外容器５の内部背面に設けた所望の曲率で形成された断面凹面状の反射面部であり、この反射面部５ａは前記光源４からの発光がこの反射面部５ａにて反射されることにより容易に光源４からの発光が、前記表示シート２を背面から間接照明されることにより、該表示シート２に表示された前記表示体３を浮かび上がらせるように表示するためのものであり、特別に反射板、反射鏡、プリズムのような光学部品を用いなくても容易に光源からの間接照明光が得られる。
【００２２】
前記表示シート２は、透明な合成樹脂、例えばポリアミド樹脂、ポリエチレン樹脂、ポリ塩化ビニール樹脂、ポリプロピレン樹脂の何れかにより形成され、前記表示シート２が、前記表示体３を残してその他の前記不透明部３ａ乃至は前記半透明部を印刷することによって形成される。そして、この表示シート２は、前記不透明部３ａ乃至は半透明部を印刷して残された透視可能な部分により前記表示体３が形成される。そして、この表示体３の表示内容としては、例えば文字、ロゴ、アルファベット、数字、図形、エンブレム等の表示内容が遠方からでも浮かび上がって見え、視認性が充分に発揮される。しかも、この表示体３の表示内容により、例えば社名、車種、製作年度等の情報やメッセージの伝達が行えるとともに、表示体３を施さない場合に較べてデザイン的に変化があり、斬新性を発揮する。
【００２３】
しかも、表示シート２には、印刷法により容易に不透明部３ａ乃至は半透明部を印刷することにより透視可能な部分により形成される表示体３を形成できるので、多量の製作が容易に行える。また、表示シート２自体、接着剤で接着したり、両面の粘着シート７を用いればフロントパネル１のへの接着が容易に行える。
【００２４】
８は前記表示シート２を支持するように、表示シート２の背面に接着される内容器であり、この内容器８は透明な合成樹脂、例えばＰＭＭＡ樹脂、アクリル樹脂等を用いて断面く字形に形成され、前述のように表示シート２を背面から確実に支持し、剥離を防止するとともに、光源４からの光を拡散するためのレンズとなる。
【００２５】
また、前記光源４は、ＬＥＤ９、またはランプで形成される。このＬＥＤ９は基板１０に取付けられ、その照度、設置個数、配列、設置間隔は自由に設定される。また、前記光源４は、外装容器５の上面または下面、本実施形態１では図１に示すように上面に設けられる。
【００２６】
また、図５は本実施形態１の自動車用表示装置を実施する場合の回路の一例を示し、Ｓは操作スイッチ、Ｖは電源、Ｔは抵抗、Ｃはコンデンサである。
【００２７】
本発明の自動車用表示装置の実施形態１は以上の構成からなり、昼間等の明るい場所では、フロントパネル１の外側面に蒸着した金属微粒子により金属光沢を発揮する点は上記従来の発光ラジェターグリルと同様である。
【００２８】
しかしながら、本発明の自動車用表示装置の実施形態１では、夜間等、暗い場所では、外装容器５の上面または下面に設けたＬＥＤ９等の光源４からの発光が、外装容器１の
内部背面に設けた所望曲率を有する断面凹面状の反射面部５ａにて反射されるので、特別に反射板、反射鏡、プリズムのような光学部品を用いなくても間接照明光によりフロントパネル１の背面に接着した表示シート２が背面から照明されるため、この表示シート２に不透明部３ａまたは半透明部を印刷することにより残った部分が透視可能に表示された表示体３により文字、ロゴ、アルファベット、数字、図形、エンブレム等がフロントパネル１に全体的に浮かび上がって表示される。この表示体３による表示内容は、浮かび上がって見え、遠方からでも視認性が充分に発揮される。そして、表示体３の表示内容により例えば社名、車種、製作年度等の情報やメッセージが伝達されるとともに、デザイン的にも変化があり、斬新なデザインになる。
【００２９】
しかも、本発明の自動車用表示装置の実施形態１では、前述のように光源４からの光を間接照明することにより表示シート２を背部から照明するものであるので、プリズムのような光学部品により導光させてラジエターグリル本体を背面から発光する特許文献１に記載の発光ラジエターグリルのように、ラジエターグリル本体には光源からの光がプリズムにより導光されてスポット光となって照射される部分のみが、周囲よりも明るく発光され、強弱のムラを生じ、不自然であるのとは異なり、全体的に均一に、ムラがない自然の照明になり、表示体３の表示内容を鮮明に表示できる。
【００３０】
また、本実施形態１の自動車用表示装置の実施形態１では、表示シート２、内容器８は、前方、上部、下部を閉塞するフロントパネル１を有する外装容器５内に収容されているので、雨、雪、埃、洗浄水等が外装容器５内に侵入し、表示シート２や内容器８を劣化させたり、汚れるのを防止できる。
【００３１】
なお、上記説明では自動車用表示装置が、ラジエターグリルである場合を代表的に説明したが、本発明はラジエターグリルのほかに、図３、図６に示すように、例えばフロントスポイラーガーニッシュ３０、また、サイドスポイラーガーニッシュ３１、リアウィング３２、バックドアガーニッシュ３３、リアスポイラーガーニッシュ３４にも適用でき、夜間等の暗い場所において、遠方からの視認性を充分に発揮し、情報やメッセージの伝達が行えるとともに、デザイン的に変化があり、斬新性がある。また、他車に対する優越性、差別化も容易である。
【００３２】
なお、本発明は、図示する上記説明では表示シート２をフロントパネル１の背面側において内容器８の表面側との間に設置しているが、必ずしも図示する実施形態１に限ることなく、内容器８がない場合には単にフロントパネル１の背面側に表示シート１を設けることも本発明の適用範囲である。
【産業上の利用可能性】
【００３３】
本発明は夜間等の暗い場所において、遠方からの視認性を充分に発揮し、情報やメッセージの伝達が行えるとともに、デザイン的に変化があり、斬新性があり、また、発光にスポット光のような強弱のムラを生ぜず、全体的に均一にかつ軟らかく発光され、浮かび上がって見え、さらには、部品点数も少なく、製作および組立が容易な用途・機能に適する。
【図面の簡単な説明】
【００３４】
【図１】図１は本発明の自動車用表示装置の実施形態１を示す拡大断面図である。
【図２】図２は同じく本発明の自動車用表示装置の実施形態１を示す分解斜視図である。
【図３】図３は同じく本発明の自動車用表示装置を自動車に適用した前方側を示した斜視図である。
【図４】図４は同じく本発明の自動車用表示装置を自動車の前方に適用して既設のラジエターグリルに取付けた一例を示す拡大正面図である。
【図５】図５は同じく本発明の自動車用表示装置に適用する回路図である。
【図６】図６は同じく本発明の自動車用表示装置を自動車に適用して後方側を示した斜視図である。
【符号の説明】
【００３５】
１      フロントパネル
２      表示シート
３      表示体
３ａ    不透明部
４      光源
５      外装容器
５ａ    反射面部
８      内容器
９      ＬＥＤ
１０    基板
Ｇ      ラジエターグリル
【図１】
2008105556.tif 000003
【図２】
2008105556.tif 000004
【図３】
2008105556.tif 000005
【図４】
2008105556.tif 000006
【図５】
2008105556.tif 000007
【図６】
2008105556.tif 000008